(57)【要約】本発明は圧縮機を提供する。低圧段シリンダ（8）、第1の高圧段シリンダ（3）及び第2の高圧段シリンダ（6）が積層に設置され、隣り合う2つのシリンダの間に仕切板が設置され、第1の高圧段シリンダ（3）及び第2の高圧段シリンダ（6）はいずれも低圧段シリンダ（8）の同一側に設けられ、或いは低圧段シリンダ（8）の両側にそれぞれ設けられ、下フランジ（9）は低圧段シリンダ（8）、第1の高圧段シリンダ（3）及び第2の高圧段シリンダ（6）の下側に設置され、第1の高圧段シリンダ（3）内に第1の摺動板（15）が設けられ、第2の高圧段シリンダ（6）内に第2の摺動板（17）が設けられ、低圧段シリンダ（8）内に第3の摺動板が設けられ、第1の高圧段シリンダ（3）及び第2の高圧段シリンダ（6）が並列に設けられ、並列後の第1の高圧段シリンダ（3）及び第2の高圧段シリンダ（6）が低圧段シリンダ（8）と直列し、第1の高圧段シリンダ（3）及び／又は第2の高圧段シリンダ（6）は可変容量シリンダであり、低圧段シリンダ（8）は一段圧縮シリンダである。さらに、本発明は空気調和装置を提供する。圧縮機及び空気調和装置を提供することで、マルチシリンダ圧縮機の作動シリンダの数を便利に調節することができる。
2017516009.tif 000002
【特許請求の範囲】
【請求項１】
圧縮機であって、
低圧段シリンダ、第1の高圧段シリンダ、第2の高圧段シリンダ及び下フランジを備え、
低圧段シリンダ、第1の高圧段シリンダ及び第2の高圧段シリンダは積層して設けられ、隣り合う2つのシリンダの間に仕切板が設けられ、前記第1の高圧段シリンダ及び前記第2の高圧段シリンダは共に前記低圧段シリンダの同一側に設けられ、或いは、前記第1の高圧段シリンダ及び前記第2の高圧段シリンダはそれぞれ前記低圧段シリンダの両側に設けられ、前記下フランジは前記低圧段シリンダ、前記第1の高圧段シリンダ及び前記第2の高圧段シリンダの下側に設けられ、
前記第1の高圧段シリンダは第1の摺動板溝を有し、前記第1の摺動板溝内に第1の摺動板が設けられ、前記第2の高圧段シリンダは第2の摺動板溝を有し、前記第2の摺動板溝内に第2の摺動板が設けられ、前記低圧段シリンダは第3の摺動板溝を有し、前記第3の摺動板溝内に第3の摺動板が設けられ、
前記第1の高圧段シリンダ及び前記第2の高圧段シリンダは並列に設けられ、並列後の前記第1の高圧段シリンダ及び前記第2の高圧段シリンダは前記低圧段シリンダと直列し、前記第1の高圧段シリンダ及び／又は第2の高圧段シリンダは可変容量シリンダであり、前記低圧段シリンダは一段圧縮シリンダである、ことを特徴とする圧縮機。
【請求項２】
2つの前記仕切板はそれぞれ第1の仕切板及び第2の仕切板であり、前記第1の仕切板及び／又は前記第2の仕切板には、摺動板の動作を制御する摺動板制御装置が設けられており、或いは、前記第1の仕切板及び／又は前記下フランジには、前記摺動板制御装置が設けられており、或いは、前記第2の仕切板及び／又は前記下フランジには、前記摺動板制御装置が設けられており、各々前記摺動板制御装置は1つの前記摺動板に対応する、ことを特徴とする請求項1に記載の圧縮機。
【請求項３】
前記第1の高圧段シリンダ及び前記第2の高圧段シリンダは何れも前記低圧段シリンダの上側に設けられ、前記第1の仕切板及び／又は前記第2の仕切板に前記摺動板制御装置が設けられ、前記第1の高圧段シリンダ及び／又は前記第2の高圧段シリンダは着脱可能なシリンダである、ことを特徴とする請求項2に記載の圧縮機。
【請求項４】
前記第1の高圧段シリンダ及び前記第2の高圧段シリンダは何れも前記低圧段シリンダの下側に設けられ、前記第1の仕切板及び前記第2の仕切板のうち下側に設けられる前記仕切板に前記摺動板制御装置が設けられ、及び／又は前記下フランジに前記摺動板制御装置が設けられ、前記第1の高圧段シリンダ及び／又は前記第2の高圧段シリンダは着脱可能なシリンダである、ことを特徴とする請求項2に記載の圧縮機。
【請求項５】
前記低圧段シリンダは前記第1の高圧段シリンダと前記第2の高圧段シリンダとの間に設けられ、前記第1の仕切板及び前記第2の仕切板のうち上側に設けられる前記仕切板に前記摺動板制御装置が設けられ、及び／又は前記下フランジに前記摺動板制御装置が設けられ、前記第1の高圧段シリンダ及び／又は前記第2の高圧段シリンダは着脱可能なシリンダである、ことを特徴とする請求項2に記載の圧縮機。
【請求項６】
前記下フランジに中間キャビティが設けられていることを特徴とする請求項1〜5の何れか1項に記載の圧縮機。
【請求項７】
前記摺動板制御装置はピン及び弾性復帰素子を有し、前記弾性復帰素子は前記ピンの尾部に設けられ、
前記第1の摺動板及び／又は第2の摺動板に係止溝が設けられ、前記ピンは前記係止溝と合わせるためのものであり、前記ピンが前記係止溝にあるとき、前記摺動板はロックされ、前記ピンが前記係止溝を離れた後、前記摺動板はアンロックされる、ことを特徴とする請求項2〜5の何れか1項に記載の圧縮機。
【請求項８】
前記第1の仕切板及び／又は前記第2の仕切板には前記係止溝に対応する貫通孔が設けられ、或いは、前記第1の仕切板及び／又は前記下フランジには前記係止溝に対応する貫通孔が設けられ、或いは、前記第2の仕切板及び／又は前記下フランジには前記係止溝に対応する貫通孔が設けられ、前記ピンが前記貫通孔に設けられ、前記ピンが前記貫通孔に密封に合わせて、前記ピンは前記貫通孔の軸方向に沿って移動可能であることを特徴とする請求項7に記載の圧縮機。
【請求項９】
前記低圧段シリンダ、前記第1の高圧段シリンダ又は前記第2の高圧段シリンダには、前記貫通孔に対応する溝がさらに設けられ、前記溝は前記貫通孔と連通してキャビティを形成し、前記キャビティは制御管路に連通する、ことを特徴とする請求項8に記載の圧縮機。
【請求項１０】
前記圧縮機は、第1の作動モード、第2の作動モード及び第3の作動モードを有し、
第1の作動モードでは、前記第1の摺動板、前記第2の摺動板及び前記第3の摺動板は何れも自由状態にあり、前記低圧段シリンダは一段圧縮を行い、前記第1の高圧段シリンダ及び前記第2の高圧段シリンダは何れも二段圧縮を行ない、
第2の作動モードでは、前記第1の摺動板又は前記第2の摺動板はロック状態にあり、前記低圧段シリンダは一段圧縮を行い、前記第2の高圧段シリンダ又は前記第1の高圧段シリンダは二段圧縮を行ない、
第3の作動モードでは、前記第1の摺動板及び第2の摺動板は何れもロック状態にあり、前記低圧段シリンダは一段圧縮を行い、前記第1の高圧段シリンダ及び前記第2の高圧段シリンダは何れも取り外された状態にある、ことを特徴とする請求項2〜5の何れか1項に記載の圧縮機。
【請求項１１】
請求項1〜10の何れか1項に記載の圧縮機を備える空気調和装置。
【発明の詳細な説明】
【技術分野】
【０００１】
本出願は、2014年04月10日に中国特許局に提出した、出願番号が201410143626.8であり、発明の名称が「圧縮機及び空気調和装置」である中国特許出願の優先権を主張し、この特許出願の内容の全ては援用によって本出願に組み込まれる。
【０００２】
本発明は冷凍分野に関し、特にローリングロータ式3シリンダ2段可変容量エンタルピー増強圧縮機及び空気調和装置に関する。
【背景技術】
【０００３】
環境温度の低下につれて、冷媒の比容積が大きくなり、圧縮機の単位吸気量が小さくなることにより、圧縮機の加熱能力が大幅に低下される。一般的に、電気補助加熱を用いて圧縮機の加熱量を高めるか、或いは2段エンタルピー増強圧縮機を用いて低温加熱能力の低さの問題を解決している。電気補助加熱を用いて圧縮機の加熱量を高める方法はエネルギー効率が低い。通常の2段エンタルピー増強圧縮機は、排出量を調整することができないので、運転条件への適応性が悪く、圧縮機の低温条件での加熱能力及びエネルギー効率を確保すると、通常の条件で運転する場合のエネルギー効率が大幅に低下される。
【発明の概要】
【０００４】
従来技術の現状に鑑み、本発明の目的は、圧縮機及び空気調和装置を提供することであり、マルチシリンダ圧縮機の作動シリンダの数をフレキシブルに調整することができ、これにより、その運転条件への適応性が向上される。上記目的を実現するために、以下は本発明の技術案である。
【０００５】
圧縮機であって、低圧段シリンダ、第1の高圧段シリンダ、第2の高圧段シリンダ及び下フランジを備え、
低圧段シリンダ、第1の高圧段シリンダ及び第2の高圧段シリンダは積層に設けられ、隣り合う2つのシリンダの間に仕切板が設けられ、前記第1の高圧段シリンダ及び前記第2の高圧段シリンダは共に前記低圧段シリンダの同一側に設けられ、或いは、前記第1の高圧段シリンダ及び前記第2の高圧段シリンダはそれぞれ前記低圧段シリンダの両側に設けられ、前記下フランジは前記低圧段シリンダ、前記第1の高圧段シリンダ及び前記第2の高圧段シリンダの下側に設けられ、
前記第1の高圧段シリンダは第1の摺動板溝を有し、前記第1の摺動板溝内に第1の摺動板が設けられ、前記第2の高圧段シリンダは第2の摺動板溝を有し、前記第2の摺動板溝内に第2の摺動板が設けられ、前記低圧段シリンダは第3の摺動板溝を有し、前記第3の摺動板溝内に第3の摺動板が設けられ、
前記第1の高圧段シリンダ及び前記第2の高圧段シリンダは並列に設けられ、並列後の前記第1の高圧段シリンダ及び前記第2の高圧段シリンダは前記低圧段シリンダと直列し、前記第1の高圧段シリンダ及び／又は第2の高圧段シリンダは可変容量シリンダであり、前記低圧段シリンダは一段圧縮シリンダである。
【０００６】
好ましくは、2つの前記仕切板はそれぞれ第1の仕切板及び第2の仕切板であり、前記第1の仕切板及び／又は前記第2の仕切板には、摺動板の動作を制御する摺動板制御装置が設けられており、或いは、前記第1の仕切板及び／又は前記下フランジには、前記摺動板制御装置が設けられており、或いは、前記第2の仕切板及び／又は前記下フランジには、前記摺動板制御装置が設けられており、各々前記摺動板制御装置は1つの前記摺動板に対応する。
【０００７】
好ましくは、前記第1の高圧段シリンダ及び前記第2の高圧段シリンダは何れも前記低圧段シリンダの上側に設けられ、前記第1の仕切板及び／又は前記第2の仕切板に前記摺動板制御装置が設けられ、前記第1の高圧段シリンダ及び／又は前記第2の高圧段シリンダは着脱可能なシリンダである。
【０００８】
好ましくは、前記第1の高圧段シリンダ及び前記第2の高圧段シリンダは何れも前記低圧段シリンダの下側に設けられ、前記第1の仕切板及び前記第2の仕切板のうち下側に設けられる前記仕切板に前記摺動板制御装置が設けられ、及び／又は前記下フランジに前記摺動板制御装置が設けられ、前記第1の高圧段シリンダ及び／又は前記第2の高圧段シリンダは着脱可能なシリンダである。
【０００９】
好ましくは、前記低圧段シリンダは前記第1の高圧段シリンダと前記第2の高圧段シリンダとの間に設けられ、前記第1の仕切板及び前記第2の仕切板のうち上側に設けられる前記仕切板に前記摺動板制御装置が設けられ、及び／又は前記下フランジに前記摺動板制御装置が設けられ、前記第1の高圧段シリンダ及び／又は前記第2の高圧段シリンダは着脱可能なシリンダである。
【００１０】
好ましくは、前記下フランジに中間キャビティが設けられている。
【００１１】
好ましくは、前記摺動板制御装置はピン及び弾性復帰素子を有し、前記弾性復帰素子は前記ピンの尾部に設けられ、
前記第1の摺動板及び／又は第2の摺動板に係止溝が設けられ、前記ピンは前記係止溝と合わせるためのものであり、前記ピンが前記係止溝にあるとき、前記摺動板はロックされ、前記ピンが前記係止溝を離れた後、前記摺動板はアンロックされる。
【００１２】
さらに、前記第1の仕切板及び／又は前記第2の仕切板には前記係止溝に対応する貫通孔が設けられ、或いは、前記第1の仕切板及び／又は前記下フランジには前記係止溝に対応する貫通孔が設けられ、或いは、前記第2の仕切板及び／又は前記下フランジには前記係止溝に対応する貫通孔が設けられ、前記ピンが前記貫通孔に設けられ、前記ピンが前記貫通孔に密封に合わせて、前記ピンは前記貫通孔の軸方向に沿って移動可能である。
【００１３】
さらに、前記低圧段シリンダ、前記第1の高圧段シリンダ又は前記第2の高圧段シリンダには、前記貫通孔に対応する溝がさらに設けられ、前記溝は前記貫通孔と連通してキャビティを形成し、前記キャビティは制御管路に連通する。
【００１４】
好ましくは、前記圧縮機は、第1の作動モード、第2の作動モード及び第3の作動モードを有し、
第1の作動モードでは、前記第1の摺動板、前記第2の摺動板及び前記第3の摺動板は何れも自由状態にあり、前記低圧段シリンダは一段圧縮を行い、前記第1の高圧段シリンダ及び前記第2の高圧段シリンダは何れも二段圧縮を行ない、
第2の作動モードでは、前記第1の摺動板又は前記第2の摺動板はロック状態にあり、前記低圧段シリンダは一段圧縮を行い、前記第2の高圧段シリンダ又は前記第1の高圧段シリンダは二段圧縮を行ない、
第3の作動モードでは、前記第1の摺動板及び第2の摺動板は何れもロック状態にあり、前記低圧段シリンダは一段圧縮を行い、前記第1の高圧段シリンダ及び前記第2の高圧段シリンダは何れも取り外された状態にある。
【００１５】
さらに、上記いずれか1つの技術案に係る圧縮機を備える空気調和装置に関する。
【００１６】
以下は本発明の有益な効果である。
本発明に係る圧縮機及び空気調和装置によれば、第1の高圧段シリンダ及び／又は第2の高圧段シリンダは可変容量シリンダであり、マルチシリンダ圧縮機の作動シリンダの数を活用に調整することが便利になり、これにより、その運転条件への適応性が向上される。通常の条件（負荷が小さい）で、1つ又は複数の高圧段シリンダを取り外すことで、圧縮機のエネルギー効率が高められ、圧縮機の総合的なエネルギー効率が向上され、低温条件で（負荷が大きい）、作動する高圧段シリンダの数を追加することで、圧縮機の加熱能力を大幅に向上することができる。
【図面の簡単な説明】
【００１７】
図1~6は、本発明に係る圧縮機のポンプ本体のシリンダの異なる配置を示す概略図である。
【００１８】
図7は図1に示す圧縮機のポンプ本体の実施例1における冷媒の流れ方向を示す概略図である。
【００１９】
図8は図1に示す圧縮機のポンプ本体の実施例2における冷媒の流れ方向を示す概略図である。
【００２０】
図9は図8に示す圧縮機のポンプ本体の第1の摺動板がロック状態にある場合の断面視概略図である。
【００２１】
図10は図8に示す圧縮機のポンプ本体の、第1の摺動板がロック状態にある場合のもう1つの方向での断面視概略図である。
【００２２】
図11は図8に示す圧縮機ポンプ本体の、第1の摺動板がロック状態にある場合の局部拡大された断面視概略図である。
【００２３】
図12は図8に示す圧縮機のポンプ本体の、第1の摺動板が自由状態にある場合の、局部的に拡大された断面視概略図である。
【００２４】
図13~15は、図1~6に示す圧縮機のポンプ本体に2つの摺動板制御装置を設けた場合の構造概略図である。
【００２５】
図16は図13に示す圧縮機のポンプ本体の、第1の摺動板及び第2の摺動板がいずれも自由状態にある場合の構造概略図である。
【００２６】
図17は図13に示す圧縮機のポンプ本体の、第1の摺動板がロック状態にあり、第2の摺動板が自由状態にある場合の構造概略図である。
【００２７】
図18は図13に示す圧縮機のポンプ本体の、第1の摺動板が自由状態にあり、第2の摺動板がロック状態にある場合の構造概略図である。
【００２８】
図19は図13に示す圧縮機のポンプ本体の、第1の摺動板及び第2の摺動板がいずれもロック状態にある場合の構造概略図である。
【発明を実施するための形態】
【００２９】
以下、本発明の目的、技術内容及び利点をより明確で理解し易くさせるために、図面及び実施例を組み合わせて本発明に係る圧縮機及び空気調和装置をより詳細に説明する。ここで、具体的な実施例は本発明を解釈するものであり、本発明を限定するものではない。
【００３０】
図1~図19を参照して、本発明に係る圧縮機の1つの実施例において、ポンプ本体は、クランク軸1、上フランジ、低圧段シリンダ8、第1の高圧段シリンダ3、第2の高圧段シリンダ6及び下フランジ9を備え、低圧段シリンダ8、第1の高圧段シリンダ3及び第2の高圧段シリンダ6は積層して設置され、隣り合う2つのシリンダの間に仕切板が設置され、第1の高圧段シリンダ3及び第2の高圧段シリンダ6は共に低圧段シリンダ8の同一側に設置され、或いは第1の高圧段シリンダ3及び第2の高圧段シリンダ6はそれぞれ低圧段シリンダ8の両側に設置され、下フランジ9は低圧段シリンダ8、第1の高圧段シリンダ3及び第2の高圧段シリンダ6の下側に設置され、下フランジ9に中間キャビティが設けられ、下フランジ9の下端に蓋板10が設けられる。第1の高圧段シリンダ3は第1の摺動板溝（図示しない）を有し、第1の摺動板溝内に第1の摺動板15が設置され、第2の高圧段シリンダ6は第2の摺動板溝（図示しない）を有し、第2の摺動板溝内に第2の摺動板17が設置され、低圧段シリンダ8は第3の摺動板溝（図示しない）を有し、第3の摺動板溝内に第3の摺動板が設置される。第1の高圧段シリンダ3と第2の高圧段シリンダ6とが並列に設置され、並列後の第1の高圧段シリンダ3及び第2の高圧段シリンダ6は低圧段シリンダ8と直列し、第1の高圧段シリンダ3及び／又は第2の高圧段シリンダ6は可変容量シリンダであり、低圧段シリンダ8は一段圧縮シリンダである。
【００３１】
1つの実施形態として、2つの前記仕切板はそれぞれ第1の仕切板及び第2の仕切板であり、第1の仕切板及び／又は第2の仕切板には摺動板の動作を制御するための摺動板制御装置が設けられ、或いは、第1の仕切板及び／又は下フランジ9には摺動板制御装置が設けられ、或いは、第2の仕切板及び／又は下フランジ9には摺動板制御装置が設けられ、各々摺動板制御装置は1つの摺動板に対応する。好ましくは、摺動板制御装置は、ピン14及び弾性復帰素子13を有し、弾性復帰素子13はピン14の尾部に設けられる。弾性復帰素子13はバネである。
【００３２】
第1の摺動板15及び／又は第2の摺動板17に係止溝（図示しない）が設けられ、ピン14は係止溝と合わせるものであり、ピン14が係止溝内にあるとき、ピン14に対応する摺動板はロックされ、ピン14が係止溝を離れた後、ピン14に対応する摺動板はアンロックされて自由状態になる。
【００３３】
さらに、第1の仕切板及び／又は第2の仕切板には係止溝に対応する貫通孔が設けられ、或いは、第1の仕切板及び／又は下フランジには、係止溝に対応する貫通孔が設けられ、或いは、第2の仕切板及び／又は下フランジ9には、係止溝と対応する貫通孔が設けられ、ピン14は前記貫通孔に設けられ、ピン14は前記貫通孔と密着して組み合うようになっており、ピン14は前記貫通孔の軸方向に沿って移行可能である。
【００３４】
ここで、低圧段シリンダ8、第1の高圧段シリンダ3又は第2の高圧段シリンダ6には、前記貫通孔に対応する溝がさらに設けられ、前記溝は前記貫通孔と連通してキャビティを形成し、前記キャビティは制御管路に連通するものであり、制御管路内の冷媒によりピン14の両側の圧力差を変更することができ、これにより、ピン14を動作させる。
【００３５】
1つの実施形態としては、図1、図2及び図13に示すように、第1の高圧段シリンダ3及び第2の高圧段シリンダ6はいずれも低圧段シリンダ8の上側に設けられ、第1の仕切板及び／又は第2の仕切板に摺動板制御装置が設けられ、第1の高圧段シリンダ3及び／又は第2の高圧段シリンダ6は着脱可能なシリンダである。ここで、第1の仕切板は、第1の高圧段シリンダ3と第2の高圧段シリンダ6との間の仕切板であり、第2の仕切板は第2の高圧段シリンダ6と低圧段シリンダ8との間の仕切板である。
【００３６】
1つの実施形態としては、図5、図6及び図15に示すように、第1の高圧段シリンダ3及び第2の高圧段シリンダ6はいずれも低圧段シリンダ8の下側に設けられ、第1の仕切板及び第2の仕切板のうち下側に設けられる前記仕切板には摺動板制御装置が設けられ、及び／又は下フランジ9には摺動板制御装置が設けられ、第1の高圧段シリンダ3及び／又は前記第2の高圧段シリンダ6は着脱可能なシリンダである。ここで、第1の仕切板は低圧段シリンダ8と第1の高圧段シリンダ3との間の仕切板であり、第2の仕切板は第1の高圧段シリンダ3と第2の高圧段シリンダ6との間の仕切板であり、第1の仕切板及び第2の仕切板のうち下側に設けられる仕切板は第2の仕切板である。当然ながら、ここの第1の仕切板は第1の高圧段シリンダ3と第2の高圧段シリンダ6との間の仕切板であってもよく、第2の仕切板は低圧段シリンダ8と第1の高圧段シリンダ3との間の仕切板であってもよく、すると、第1の仕切板及び第2の仕切板のうち下側に設けられる仕切板は第1の仕切板である。
【００３７】
1つの実施形態としては、図3、図4、図9及び図14に示すように、低圧段シリンダ8は第1の高圧段シリンダ3と第2の高圧段シリンダ6との間に設けられ、低圧段シリンダ内に下ローラ11が設けられ、第1の高圧段シリンダ内に上ローラ16が設けられ、第2の高圧段シリンダ6内に中ローラ12が設けられ、第1の仕切板及び第2の仕切板のうち上側に設けられる仕切板には摺動板制御装置が設けられ、及び／又は下フランジ9には摺動板制御装置が設けられ、第1の高圧段シリンダ3及び／又は第2の高圧段シリンダ6は着脱可能なシリンダである。 ここで、第1の仕切板は第1の高圧段シリンダ3と低圧段シリンダ8との間の仕切板（上仕切板4及び中仕切板5は一体の仕切板である）であり、第2の仕切板は第2の高圧段シリンダ6と低圧段シリンダ8との間の仕切板（下仕切板7）であり、第1の仕切板及び第2の仕切板のうち上側に設けられる仕切板は第1の仕切板である。当然ながら、ここの第1の仕切板は第2の高圧段シリンダ6と低圧段シリンダ8との間の仕切板であってもよく、第2の仕切板は第1の高圧段シリンダ3と低圧段シリンダ8との間の仕切板であってもよく、すると、第1の仕切板及び第2の仕切板のうち上側に設けられる仕切板は第2の仕切板である。
【００３８】
上記実施例における圧縮機は、第1の作動モード、第2の作動モード及び第3の作動モードを有し、
第1の作動モード（3シリンダ2段モード）では、第1の高圧段シリンダ3及び第2の高圧段シリンダ6がいずれも低圧段シリンダ8の上側に設けられることを例として、図16に示すように、第1の摺動板15、第2の摺動板17及び第3の摺動板は何れも自由状態にあり、低圧段シリンダ8は一段圧縮を行い、第1の高圧段シリンダ3及び第2の高圧段シリンダ6はいずれも二段圧縮を行なう。蒸発器からの冷媒は、液体分配器に入った後に低圧段シリンダ8に入り、低圧段シリンダ8内で1回目の圧縮を行なった後に中間キャビティに排出され、フラッシュ蒸発器に中間圧力にフラッシュされる冷媒と中間キャビティ内で混合し、混合後の冷媒は第1の高圧段シリンダ3及び第2の高圧段シリンダ6に入って2回目の圧縮を行い、そして、圧縮機のハウジング内に直接に排出され、これにより、3シリンダ2段動作が実現され、図における矢印方向は冷媒の流れ方向を示す。
【００３９】
第2の作動モード（2シリンダ2段モード）では、第1の高圧段シリンダ3及び第2の高圧段シリンダ6がいずれも低圧段シリンダ8の上側に設けられることを例として、図17及び図18に示すように、第1の摺動板15又は第2の摺動板17はロック状態にあり、低圧段シリンダ8は一段圧縮を行い、第2の高圧段シリンダ6又は第1の高圧段シリンダ3は二段圧縮を行なう。蒸発器からの冷媒は液体分配器に入った後に低圧段シリンダ8に入って1回目の圧縮を行い、圧縮後に中間キャビティに排出され、フラッシュ蒸発器にフラッシュされた中間圧力の冷媒と混合し、混合後の冷媒は第1の高圧段シリンダ3又は第2の高圧段シリンダ6内に入って2回目の圧縮を行い、そして、この圧縮機のハウジング内に直接に排出され、これにより、2シリンダ2段の運転が実行され、図における矢印の方向は冷媒の流れ方向を示す。
【００４０】
第3の作動モード（1シリンダ1段モード）では、第1の高圧段シリンダ3及び第2の高圧段シリンダ6がいずれも低圧段シリンダ8の上側に設けられることを例として、図19に示すように、第1の摺動板15及び第2の摺動板17はいずれもロック状態にあり、第3の摺動板は自由状態にあり、低圧段シリンダ8は一段圧縮を行い、 第1の高圧段シリンダ3及び第2の高圧段シリンダ6はいずれも取り外された状態にある。
【００４１】
本発明は、さらに、空気調和装置に関し、上記何れか1つの技術案に記載の圧縮機を備え、空気調和装置の圧縮機以外の部分は従来技術であるため、ここで、一々説明しない。
【００４２】
上記実施例における圧縮機及び空気調和装置によれば、第1の高圧段シリンダ及び／又は第2の高圧段シリンダは可変容量シリンダであり、マルチシリンダ圧縮機の作動シリンダの数をフレキシブルに調整するのに便利であり、これにより、運転条件への適応性が向上される。通常の運転条件では（負荷が小さい）、1つ又は複数の高圧段シリンダを取り外すことで、圧縮機のエネルギー効率が向上され、圧縮機の総合的なエネルギー効率が向上され、低温の運転条件（負荷が大きい）では、作動する高圧段シリンダの数を追加することで、圧縮機の加熱能力を大幅に向上させることができる。
【００４３】
上記実施例は本発明の実施形態の一部だけを説明したものでありその説明は具体的で詳細であるものの、本発明の特許範囲への制限であると理解してはならない。当業者であれば、本発明の構想から逸脱しない限り、若干の変形及び改善をすることができ、これらは何れも本発明の保護範囲内にある。したがって、本発明特許の保護範囲は請求項を基準とすべきである。
【図１】
2017516009.tif 000003
【図２】
2017516009.tif 000004
【図３】
2017516009.tif 000005
【図４】
2017516009.tif 000006
【図５】
2017516009.tif 000007
【図６】
2017516009.tif 000008
【図７】
2017516009.tif 000009
【図８】
2017516009.tif 000010
【図９】
2017516009.tif 000011
【図１０】
2017516009.tif 000012
【図１１】
2017516009.tif 000013
【図１２】
2017516009.tif 000014
【図１３】
2017516009.tif 000015
【図１４】
2017516009.tif 000016
【図１５】
2017516009.tif 000017
【図１６】
2017516009.tif 000018
【図１７】
2017516009.tif 000019
【図１８】
2017516009.tif 000020
【図１９】
2017516009.tif 000021
【国際調査報告】
2017516009.tif 000022
2017516009.tif 000023
2017516009.tif 000024
2017516009.tif 000025
2017516009.tif 000026
2017516009.tif 000027